(57)【要約】  発光基板の着脱の作業効率を向上させることができるエレベータの発光装置を得る。このエレベータの発光装置は、ベースと、基板部を有しベースに対してスライドすることによってベースに着脱される発光基板とを備え、基板部には、固定部が形成され、ベースは、ベース本体、幅方向規制部、離間方向規制部、およびスライド方向規制部を有し、スライド方向規制部は、発光基板がベースに取り付けられる場合に固定部に挿入され、発光基板がベースから取り外される場合に固定部から外される。
2019064340.tif 000002
【特許請求の範囲】
【請求項１】
取付対象面に設けられるベースと、
基板部および前記基板部に固定される発光部を有し、前記ベースに対してスライドすることによって前記ベースに着脱される発光基板と
を備え、
前記基板部には、固定部が形成され、
前記ベースは、ベース本体、前記発光基板のスライド方向に垂直な方向であって前記ベース本体に沿った方向である基板幅方向についての前記ベース本体に対する前記発光基板の移動を規制する幅方向規制部、前記ベース本体から離れる方向についての前記ベース本体に対する前記発光基板の移動を規制する離間方向規制部、および前記固定部に挿入されることによって前記スライド方向についての前記ベース本体に対する前記発光基板の移動を規制するスライド方向規制部を有し、
前記スライド方向規制部は、前記発光基板が前記ベースに取り付けられる場合に前記固定部に挿入され、前記発光基板が前記ベースから取り外される場合に前記固定部から外されるエレベータの発光装置。
【請求項２】
前記ベースは、前記スライド方向規制部を支持する腕部をさらに有し、
前記腕部は、弾性変形可能である請求項１に記載のエレベータの発光装置。
【請求項３】
前記離間方向規制部は、前記発光基板の表面における前記基板幅方向についての一方側の部分に対向する第１爪部および前記発光基板の表面における前記基板幅方向についての他方側の部分に対向する第２爪部を有し、
前記第１爪部および前記第２爪部は、前記スライド方向について互いにずれて配置されている請求項１または請求項２に記載のエレベータの発光装置。
【請求項４】
前記第１爪部および前記第２爪部は、前記スライド方向規制部が前記固定部に挿入される場合に、前記第１爪部および前記第２爪部のそれぞれが前記発光基板の表面に対向し、前記スライド方向について前記スライド方向規制部が前記固定部に対してずれて配置される場合に、前記第１爪部および前記第２爪部の少なくとも何れか一方が前記スライド方向について前記発光基板の表面からずれて配置される請求項３に記載のエレベータの発光装置。
【請求項５】
前記離間方向規制部は、前記発光基板の表面における前記基板幅方向についての一方側の部分に対向する第１爪部および前記発光基板の表面における前記基板幅方向についての他方側の部分に対向する第２爪部を有し、
前記第１爪部は、前記スライド方向の全領域に渡って前記発光基板の表面と対向する請求項１または請求項２に記載のエレベータの発光装置。
【発明の詳細な説明】
【技術分野】
【０００１】
この発明は、例えば、エレベータ出入口を構成する上板に取り付けられるエレベータの発光装置に関する。
【背景技術】
【０００２】
従来、エレベータ出入口構成する上板の下面に設けられるエレベータの発光装置が知られている。このエレベータの発光装置は、発光基板と、発光基板を上板の下面に取り付けるための取付ねじとを有している（例えば、特許文献１参照）。
【先行技術文献】
【特許文献】
【０００３】
【特許文献１】特許第５８４０２８９号公報
【発明の概要】
【発明が解決しようとする課題】
【０００４】
しかしながら、発光基板は、取付ねじを用いて上板の下面に取り付けられている。したがって、発光基板の上枠の下面への着脱作用を行う場合に、取付ねじが落下して、取付ねじが紛失する恐れがある。これにより、作業者は、発光基板の着脱の作業を慎重に行わなければならない。その結果、発光基板の着脱の作業効率が悪いという課題があった。【０００５】
この発明は、上述のような課題を解決するためになされたものであり、その目的は、発光基板の着脱の作業効率を向上させることができるエレベータの発光装置を提供するものである。
【課題を解決するための手段】
【０００６】
この発明に係るエレベータの発光装置は、取付対象面に設けられるベースと、基板部および基板部に固定される発光部を有し、ベースに対してスライドすることによってベースに着脱される発光基板とを備え、基板部には、固定部が形成され、ベースは、ベース本体、発光基板のスライド方向に垂直な方向であってベース本体に沿った方向である基板幅方向についてのベース本体に対する発光基板の移動を規制する幅方向規制部、ベース本体から離れる方向についてのベース本体に対する発光基板の移動を規制する離間方向規制部、および固定部に挿入されることによってスライド方向についてのベース本体に対する発光基板の移動を規制するスライド方向規制部を有し、スライド方向規制部は、発光基板がベースに取り付けられる場合に固定部に挿入され、発光基板がベースから取り外される場合に固定部から外される。
【発明の効果】
【０００７】
この発明に係るエレベータの発光装置によれば、ベースに対して発光基板がスライドすることによって、発光基板がベースに着脱される。これにより、取付ねじを用いることなく、発光基板をベースに着脱することができる。その結果、発光基板の着脱の作業効率を向上させることができる。
【図面の簡単な説明】
【０００８】
【図１】この発明の実施の形態１に係るエレベータの発光装置を備えたエレベータ出入口装置を示す正面図である。
【図２】図１の発光装置３を示す分解斜視図である。
【図３】図１の発光装置３を示す底面図である。
【図４】図３の発光装置３を示す側面図である。
【図５】図３のＶ−Ｖ線に沿った矢視断面図である。
【図６】図３の発光基板３２をベースに対してスライドさせた状態を示す図である。
【図７】図６のＶＩＩ−ＶＩＩ線に沿った矢視断面図である。
【図８】この発明の実施の形態２に係るエレベータの発光装置を示す図
【図９】図８のベースを示す側面図である。
【図１０】この発明の実施の形態３に係るエレベータの発光装置３を示す図である。
【発明を実施するための形態】
【０００９】
実施の形態１．
図１は、この発明の実施の形態１に係るエレベータの発光装置が取り付けられたエレベータの乗場を示す正面図である。エレベータの乗場は、乗場出入口１１が形成された乗場三方枠１と、乗場出入口１１を開閉する乗場ドア２とを備えている。
【００１０】
乗場三方枠１は、間口方向に離れて立てられた一対の縦柱１２と、一対の縦柱１２のそれぞれの上端部に渡って設けられた上板１３とを有している。上板１３の下面には、エレベータの発光装置３が取り付けられている。この例では、発光装置３が取り付けられる取付対象面は、上板１３の下面となっている。また、この例では、エレベータの発光装置３として、ドア開閉注意灯を例に説明する。
【００１１】
図２は、図１の発光装置３を示す分解斜視図である。エレベータの発光装置３は、ベース３１と、ベース３１に着脱される発光基板３２と、発光基板３２を下方から覆うカバー３３とを備えている。発光基板３２は、ベース３１に対してスライドすることによって、ベース３１に着脱される。
【００１２】
発光基板３２は、平板形状の基板部３２１と、基板部３２１に固定される複数の発光部３２２とを有している。発光部３２２としては、例えば、ＬＥＤが挙げられる。
【００１３】
カバー３３は、発光基板３２を保護する。カバー３３は、ベース３１に着脱される周辺部３３１と、周辺部３３１に設けられ、発光基板３２に対向する光透過部３３２とを有している。光透過部３３２は、光透過性を有する樹脂から構成されている。
【００１４】
ベース３１は、平板形状のベース本体３１１と、ベース本体３１１の表面に一体に形成された一対の側壁部３１２とを有している。一対の側壁部３１２における一方を第１側壁部３１２Ａとし、一対の側壁部３１２における他方を第２側壁部３１２Ｂとする。
【００１５】
図３は、図２の発光基板３２がベース３１に取り付けられた状態を示す底面図、図４は、図３の発光基板３２およびベース３１を示す側面図、図５は、図３のＶ−Ｖ線に沿った矢視断面図である。ベース３１は、図示しない締結具を用いて、上板１３の下面に取り付けられる。締結具としては、取付ねじ、ボルト等が挙げられる。
【００１６】
ベース本体３１１は、一方向に延びた形状に形成されている。ベース３１は、ベース本体３１１の長手方向が上板１３の長手方向に互いに一致するように配置される。上板１３の長手方向は、乗場ドア２の間口方向と互いに一致するように配置される。第１側壁部３１２Ａおよび第２側壁部３１２Ｂは、互いに平行となるように形成されている。また、第１側壁部３１２Ａおよび第２側壁部３１２Ｂは、ベース本体３１１の長手方向に延びるように形成されている。
【００１７】
第１側壁部３１２Ａおよび第２側壁部３１２Ｂの間に発光基板３２が配置される。発光基板３２のスライド方向Ａに垂直な方向であってベース本体３１１に沿った方向を、基板幅方向Ｂとする。第１側壁部３１２Ａおよび第２側壁部３１２Ｂの間に発光基板３２が配置されることによって、基板幅方向Ｂについてのベース本体３１１に対する発光基板３２の移動が規制される。したがって、第１側壁部３１２Ａおよび第２側壁部３１２Ｂは、基板幅方向Ｂについてのベース本体３１１に対する発光基板３２の移動を規制する幅方向規制部を構成する。
【００１８】
ベース３１は、第１側壁部３１２Ａに一体に形成された第１爪部３１３Ａと、第２側壁部３１２Ｂに一体に形成された第２爪部３１３Ｂをさらに有している。第１爪部３１３Ａは、発光基板３２の表面における基板幅方向Ｂについての一方側の部分に対向する。第２爪部３１３Ｂは、発光基板３２の表面における基板幅方向Ｂについての他方側の部分に対向する。第１爪部３１３Ａおよび第２爪部３１３Ｂは、スライド方向Ａについて互いにずれて配置されている。スライド方向Ａについての第１爪部３１３Ａと第２爪部３１３Ｂとの間の寸法は、発光基板３２の長手方向の寸法よりも小さくなっている。第１爪部３１３Ａおよび第２爪部３１３Ｂのそれぞれが発光基板３２の表面に対向することによって、ベース本体３１１から離れる方向についてのベース本体３１１に対する発光基板３２の移動が規制される。したがって、第１爪部３１３Ａおよび第２爪部３１３Ｂは、ベース本体３１１から離れる方向についてのベース本体３１１に対する発光基板３２の移動を規制する離間方向規制部を構成する。
【００１９】
基板部３２１には、ベース本体３１１に対向する固定部３２３が形成されている。固定部３２３は、基板部３２１の厚さ方向について基板部３２１を貫通した貫通孔となっている。
【００２０】
ベース３１は、固定部３２３に挿入される挿入部３１４と、ベース本体３１１と挿入部３１４とに渡って設けられる腕部３１５とを有している。ベース本体３１１、腕部３１５および挿入部３１４は、互いに一体に形成されている。挿入部３１４が固定部３２３に挿入されることによって、スライド方向Ａについてのベース本体３１１に対する発光基板３２の移動が規制される。したがって、挿入部３１４は、固定部３２３に挿入されることによってスライド方向Ａについてのベース本体３１１に対する発光基板３２の移動を規制するスライド方向規制部を構成する。スライド方向Ａについての基板部３２１に対する固定部３２３の位置は、挿入部３１４が固定部３２３に挿入された場合に、第１爪部３１３Ａおよび第２爪部３１３Ｂのそれぞれが発光基板３２の表面に対向する位置となっている。挿入部３１４が固定部３２３に挿入されることによって、発光基板３２の位置が取付位置となる。
【００２１】
腕部３１５の厚さ方向の寸法Ｌ1は、ベース本体３１１の厚さ方向の寸法の半分以下となっている。これにより、腕部３１５は、厚さ方向について弾性変形が可能となっている。腕部３１５に対して、ベース本体３１１の厚さ方向の力が加えられていない場合には、挿入部３１４は、ベース本体３１１の厚さ方向についてベース本体３１１の外側に配置される。この場合、挿入部３１４は、固定部３２３に挿入される。腕部３１５に対して、ベース本体３１１の厚さ方向内側の力が加えられた場合には、挿入部３１４は、ベース本体３１１の厚さ方向についてベース本体３１１の内側に配置される。
【００２２】
次に、発光基板３２をベース３１に取り付ける手順について説明する。図６は、図３の発光基板３２をベース３１に対してスライドさせた状態を示す図、図７は、図６のＶＩＩ−ＶＩＩ線に沿った矢視断面図である。発光基板３２をベース３１に取り付ける場合には、まず、第１爪部３１３Ａが発光基板３２の表面に対向するように、第１側壁部３１２Ａおよび第２側壁部３１２Ｂの間に発光基板３２を挿入する。このとき、挿入部３１４が基板部３２１の裏面に当たる。これにより、挿入部３１４がベース本体３１１に対して板厚方向について内側に押し込まれる。
【００２３】
その後、第１爪部３１３Ａおよび第２爪部３１３Ｂのそれぞれが発光基板３２の表面に対向するまで、発光基板３２をベース３１に対してスライド方向Ａにスライドさせる。これにより、挿入部３１４が固定部３２３に挿入される。その結果、発光基板３２がベース３１に取り付けられる。
【００２４】
ベース３１に取り付けられている発光基板３２をベース３１から取り外す場合には、固定部３２３に挿入可能な取外し治具を固定部３２３に挿入する。取外し治具としては、固定部３２３に挿入可能な細い棒が挙げられる。取外し治具を固定部３２３に挿入し、取り外し治具を用いて挿入部３１４を固定部３２３から外す。これにより、発光基板３２は、ベース３１に対してスライド方向Ａについてスライド可能となる。
【００２５】
その後、発光基板３２をベース３１に対してスライドさせる。第２爪部３１３Ｂが発光基板３２の表面に対向しなくなると、腕部３１５の弾性力によって挿入部３１４が発光基板３２の裏面を押す。これにより、発光基板３２がベース本体３１１の表面から浮き上がる。その後、発光基板３２をベース３１から取り外す。
【００２６】
以上説明したように、この発明の実施の形態１に係るエレベータの発光装置３によれば、ベース３１に対して発光基板３２がスライドすることによって、発光基板３２がベース３１に着脱される。これにより、取付ねじを用いることなく、発光基板３２をベース３１に着脱することができる。その結果、発光基板３２の着脱の作業効率を向上させることができる。また、発光基板３２をベース３１に取り付けるために、取付ねじなどの締結用部品が不要となる。これにより、エレベータの発光装置３の製造コストを低減させることができる。また、工場における組立工数を削減することができる。これにより、エレベータの生産コストを低減させることができる。
【００２７】
また、ベース３１は、挿入部３１４を支持する腕部３１５を有し、腕部３１５は、弾性変形可能である。これにより、腕部３１５が弾性変形することによって、挿入部３１４を固定部３２３に対して出し入れすることができる。その結果、スライド方向Ａについての発光基板３２の拘束を解除する作業が容易となる。したがって、据付作業の現場または保守作業の現場における作業性を向上させることができる。また、据付作業の現場または保守作業の現場において、部品の落下および部品の損失を防止することができる。
【００２８】
また、第１爪部３１３Ａおよび第２爪部３１３Ｂは、スライド方向Ａについて互いにずれて配置されている。これにより、第１爪部３１３Ａおよび第２爪部３１３Ｂの何れか一方を先に発光基板３２の表面に対向させることができる。
【００２９】
また、挿入部３１４が固定部３２３に挿入される場合に、第１爪部３１３Ａおよび第２爪部３１３Ｂのそれぞれは、発光基板３２の表面に対向する。また、スライド方向Ａについて挿入部３１４が固定部３２３に対してずれて配置される場合に、第１爪部３１３Ａおよび第２爪部３１３Ｂの少なくとも何れか一方がスライド方向について発光基板３２の表面からずれて配置される。これにより、挿入部３１４を固定部３２３に挿入することによって、発光基板３２をベース３１に対して確実に取り付けることができる。
【００３０】
実施の形態２．
図８は、この発明の実施の形態２に係るエレベータの発光装置のベースを示す図、図９は、図８のベースを示す側面図である。実施の形態１では、第１爪部３１３Ａおよび第２爪部３１３Ｂがスライド方向Ａについて互いにずれて配置された構成について説明した。これに対して、実施の形態２では、第１爪部３１３Ａは、スライド方向Ａについて第１側壁部３１２Ａの全領域に渡って設けられている。これにより、発光基板３２がベース３１に取り付けられた場合に、第１爪部３１３Ａは、スライド方向Ａの全領域に渡って発光基板３２の表面と対向する。その他の構成は、実施の形態１と同様である。
【００３１】
以上説明したように、この発明の実施の形態２に係るエレベータの発光装置３によれば、第１爪部３１３Ａは、スライド方向Ａについて第１側壁部３１２Ａの全領域に渡って設けられている。これにより、第１爪部３１３Ａの強度を向上させることができる。また、発光基板３２をベース３１に対してスライドさせるときの操作性を向上させることができる。
【００３２】
実施の形態３．
図１０は、この発明の実施の形態３に係るエレベータの発光装置のベースおよび発光基板を示す図である。実施の形態１では、固定部３２３が基板部３２１の厚さ方向に貫通して形成され、挿入部３１４がベース本体３１１に設けられた構成について説明した。実施の形態３では、第１側壁部３１２Ａは、側壁部本体３１６と、スライド方向Ａについて側壁部本体３１６から離れて設けられた側壁部小片部３１７と、側壁部本体３１６に設けられた腕部３１８と、腕部３１８に設けられた挿入部３１９とを有している。第１爪部３１３Ａは、側壁部小片部３１７に設けられている。
【００３３】
基板部３２１における第１側壁部３１２Ａに対向する側面には、挿入部３１９が挿入可能な固定部３２４が形成されている。固定部３２４は、切欠き部となっている。挿入部３１９が固定部３２４に挿入されることによって、スライド方向Ａについてのベース本体３１１に対する発光基板３２の移動が規制される。したがって、挿入部３１９は、固定部３２４に挿入されることによってスライド方向Ａについてのベース本体３１１に対する発光基板３２の移動を規制するスライド方向規制部を構成する。スライド方向Ａについての基板部３２１に対する固定部３２４の位置は、挿入部３１４が固定部３２４に挿入された場合に、第１爪部３１３Ａおよび第２爪部３１３Ｂのそれぞれが発光基板３２の表面に対向する位置となっている。その他の構成は、実施の形態１と同様である。
【００３４】
次に、発光基板３２をベース３１に取り付ける手順について説明する。発光基板３２をベース３１に取り付ける場合には、まず、第１爪部３１３Ａが発光基板３２の表面に対向するように、第１側壁部３１２Ａおよび第２側壁部３１２Ｂの間に発光基板３２を挿入する。このとき、挿入部３１９が基板部３２１の側壁に当たる。これにより、腕部３１８が弾性変形し、挿入部３１９がベース本体３１１に対して基板幅方向Ｂについて外側に押し出される。
【００３５】
その後、第１爪部３１３Ａおよび第２爪部３１３Ｂのそれぞれが発光基板３２の表面に対向するまで、発光基板３２をベース３１に対してスライド方向Ａにスライドさせる。これにより、挿入部３１９が固定部３２４に挿入される。その結果、発光基板３２がベース３１に取り付けられる。
【００３６】
ベース３１に取り付けられている発光基板３２をベース３１から取り外す場合には、挿入部３１９を固定部３２４から外す。これにより、発光基板３２は、ベース３１に対してスライド方向Ａについてスライド可能となる。
【００３７】
その後、発光基板３２をベース３１に対してスライドさせる。第２爪部３１３Ｂが発光基板３２の表面に対向しなくなると、発光基板３２をベース３１から取り外す。
【００３８】
以上説明したように、この発明の実施の形態３に係るエレベータの発光装置３によれば、挿入部３１９が第１側壁部３１２Ａに設けられ、基板部３２１には、固定部３２４が形成されている。これにより、取付ねじを用いることなく、発光基板３２をベース３１に着脱することができる。その結果、発光基板３２の着脱の作業効率を向上させることができる。
【００３９】
なお、各上記実施の形態では、エレベータの発光装置３として、エレベータの乗場に設けられたエレベータの発光装置３を例に説明したが、これに限らない。例えば、エレベータのかごに設けられたエレベータの発光装置であってもよい。
【符号の説明】
【００４０】
１  乗場三方枠、２  乗場ドア、３  発光装置、１１  乗場出入口、１２  縦柱、１３  上板、３１  ベース、３２  発光基板、３３  カバー、３１１  ベース本体、３１２  側壁部、３１２Ａ  第１側壁部、３１２Ｂ  第２側壁部、３１３Ａ  第１爪部、３１３Ｂ  第２爪部、３１４  挿入部、３１５  腕部、３１６  側壁部本体、３１７  側壁部小片部、３１８  腕部、３１９  挿入部、３２１  基板部、３２２  発光部、３２３、３２４  固定部、３３１  周辺部、３３２  光透過部。
【図１】
2019064340.tif 000003
【図２】
2019064340.tif 000004
【図３】
2019064340.tif 000005
【図４】
2019064340.tif 000006
【図５】
2019064340.tif 000007
【図６】
2019064340.tif 000008
【図７】
2019064340.tif 000009
【図８】
2019064340.tif 000010
【図９】
2019064340.tif 000011
【図１０】
2019064340.tif 000012
【国際調査報告】
2019064340.tif 000013
2019064340.tif 000014
2019064340.tif 000015
2019064340.tif 000016